(57)【要約】【課題】桁数の追加を安価に構成でき、しかも大きな設置スペースを必要とすることがない表示部を備えた洗濯乾燥機および洗濯機を提供する。【解決手段】「０」から「９」までの１０個の数字を７セグメントで表示する第１ＬＥＤ表示部６１と、第１ＬＥＤ表示部６１の左側に「１」のみの数字を表示可能な第２ＬＥＤ表示部６２と、を備え、第１ＬＥＤ表示部６１および第２ＬＥＤ表示部６２には回転ドラムの脱水回転速度を表示させる。脱水回転速度は、操作パネル４に設けられた操作ボタンＢ７により選択することができる。【選択図】図３
2012061149.tif 000002
【特許請求の範囲】
【請求項１】
洗濯物を収容する回転ドラムと、この回転ドラムを内置する外槽と、前記回転ドラムを回転駆動するモータと、前記外槽を支持する筐体とを有し、前記筐体には、運転コースを選択する操作パネルを備えた洗濯乾燥機において、
前記操作パネルは、
「０」から「９」までの１０個の数字を７セグメントで表示する第１ＬＥＤ表示部と、
前記第１ＬＥＤ表示部の左側に「１」のみの数字を表示可能な第２ＬＥＤ表示部と、を備えたことを特徴とする洗濯乾燥機。
【請求項２】
前記第１ＬＥＤ表示部および第２ＬＥＤ表示部には、前記回転ドラムの脱水回転速度が表示されることを特徴とする請求項１に記載の洗濯乾燥機。
【請求項３】
前記操作パネルには、前記脱水回転速度を選択する選択手段を有することを特徴とする請求項２に記載の洗濯乾燥機。
【請求項４】
前記選択手段による選択に応じて、予め定められた所定の脱水回転速度を前記第１ＬＥＤ表示部および前記第２ＬＥＤ表示部に表示することを特徴とする請求項３に記載の洗濯乾燥機。
【請求項５】
洗濯のみを行う洗濯コースと、洗濯から乾燥まで連続して行う洗濯乾燥コースとを有し、
前記操作パネルの操作によって、前記洗濯コースが設定された場合、前記脱水回転速度を変更可能であることを特徴とする請求項１から請求項４のいずれか１項に記載の洗濯乾燥機。
【請求項６】
前記第２ＬＥＤ表示部は、数字の「１」が印刷された印字シートと、ＬＥＤとを有し、
前記印字シートの裏面側には、前記ＬＥＤからの光を拡散させる溝部を設けたことを特徴とする請求項１から請求項５のいずれか１項に記載の洗濯乾燥機。
【請求項７】
洗濯物を収容する内槽と、この内槽を内置する外槽と、前記内槽を回転駆動するモータと、前記外槽を支持する筐体とを有し、前記筐体には、運転コースを選択する操作パネルを備えた洗濯機において、
前記操作パネルは、
「０」から「９」までの１０個の数字を７セグメントで表示する第１ＬＥＤ表示部と、
前記第１ＬＥＤ表示部の左側に「１」のみの数字を表示可能な第２ＬＥＤ表示部と、を備えたことを特徴とする洗濯機。
【発明の詳細な説明】
【技術分野】
【０００１】
本発明は、操作パネルに運転コースの設定内容などを示す表示部を備えた洗濯乾燥機および洗濯機に関する。
【背景技術】
【０００２】
洗濯乾燥機は、一般に、運転コースなどを選択する操作部と、この操作部によって設定された内容などを表示する表示部とを備えている。また、このような表示部としては、運転が終了するまでの残り時間などを表示する、７セグメントの表示器により３桁表示するものが提案されている（特許文献１参照）。
【先行技術文献】
【特許文献】
【０００３】
【特許文献１】特開平２−１８９１８５号公報（第２頁左上欄、第５図）
【発明の概要】
【発明が解決しようとする課題】
【０００４】
ところで、洗濯乾燥機が使用時においてどのような運転コースが設定されたのか、また現在どのような状態にあるのかを数字を用いて視覚的に表示することが、ユーザの視点から見て重要である。これまでは、残時間表示をするために、特許文献１に記載のように、７セグメントなどの表示器を用いて３桁表示を行うことが一般に行われてきたが、洗濯乾燥機の多機能化により３桁表示では桁数が足りず、４桁表示が必要な状況が生じるようになった。そこで、４桁表示をするために７セグメントの表示器を用いて１桁追加することが提案されている。
【０００５】
しかしながら、７セグメントの表示器を新たに追加すると、コスト高となる問題があった。また、多機能化に伴い、操作パネルに組み込む設定項目や操作ボタンが増加し、７セグメントの表示器を組み込むと、組み込むための大きなスペースが必要になるという問題があった。
【０００６】
本発明は、前記従来の問題を解決するものであり、桁数の追加を安価に構成でき、しかも大きな設置スペースを必要としない表示部を備えた洗濯乾燥機および洗濯機を提供することを課題とする。
【課題を解決するための手段】
【０００７】
本発明は、洗濯物を収容する回転ドラムと、この回転ドラムを内置する外槽と、前記回転ドラムを回転駆動するモータと、前記外槽を支持する筐体とを有し、前記筐体には、運転コースを選択する操作パネルを備えた洗濯乾燥機において、前記操作パネルは、「０」から「９」までの１０個の数字を７セグメントで表示する第１ＬＥＤ表示部と、前記第１ＬＥＤ表示部の左側に「１」のみの数字を表示可能な第２ＬＥＤ表示部と、を備えたことを特徴とする。
【発明の効果】
【０００８】
本発明によれば、「１」のみを表示する第２ＬＥＤ表示部を追加することにより、７セグメントの表示器を新たに追加することがないので、桁数の追加を安価に構成することが可能になる。しかも、「１」のみを追加するだけあるので、大きな設置スペースを必要とすることもない。
【図面の簡単な説明】
【０００９】
【図１】本実施形態に係る洗濯乾燥機の外観を示す斜視図である。
【図２】本実施形態に係る洗濯乾燥機の内部構造を示す側面図である。
【図３】操作パネルの操作部と表示部の配置図である。
【図４】第１ＬＥＤ表示部を示す平面図である。
【図５】図３のＡ−Ａ線断面図である。
【図６】印字シート単体の表面を示す図である。
【図７】印字シートを裏面から見たときの一部省略図である。
【図８】操作パネルに設けられるＬＥＤとスイッチの配置図である。
【図９】各脱水回転速度における表示パターンを示す図である。
【発明を実施するための形態】
【００１０】
以下、本発明の洗濯乾燥機について図１ないし図９を参照して説明する。
本実施形態の洗濯乾燥機Ｓは、ドラム式の洗濯乾燥機であり、筐体１（図１参照）、回転ドラム（内槽）１０（図２参照）、外槽２０（図２参照）、モータ３０（図２参照）などを備え、筐体１に操作パネル４（図１参照）が設けられて構成されている。
【００１１】
図１に示すように、筐体１は、外郭が鋼板と樹脂成型品とを組み合わされ、ベースＢの上に取り付けられて構成されている。また、筐体１は、左右の側板１ａ（片側は不図示）、前面カバー１ｃ、背面カバー１ｄ（図２参照）、上面カバー１ｅ、下部前面カバー１ｆで構成されている。左右の側板１ａは、コの字型の上補強材（図示せず）、前補強材（図示せず），後補強材（図示せず）で結合されている。これにより、ベースＢを含めて箱状の筐体１を形成し、筐体として十分な強度を有している。
【００１２】
筐体１の前面カバー１ｃの略中央には、衣類など（洗濯物、乾燥対象物）を出し入れするための投入口を開閉するドア２が、前補強材に設けたヒンジ（図示せず）で開閉可能に支持されて構成されている。ドア２の近傍の前面カバー１ｃには、ドア２のロック機構（図示せず）を解除するドア開放ボタン３が設けられている。ドア開放ボタン３を押すことで、ロック機構（図示せず）が外れてドア２が開き、ドア２を前面カバー１ｃに押し付けることでロックされて閉じるようになっている。図示しない前補強材は、後記する外槽２０（図２参照）の開口部２０ｂ（図２参照）と略同心に、衣類などを出し入れするための円形の開口部を有している。
【００１３】
図１に示す操作パネル４は、操作部４ａおよび表示部４ｂを備え、筐体１の上部中央に設けられている。なお、操作パネル４の詳細な構成については後記する。
【００１４】
また、操作パネル４の右側には、電源をＯＮ／ＯＦＦする電源入ボタン４ｃ、電源切ボタン４ｄが別々に設けられている。操作パネル４、電源入ボタン４ｃおよび電源切ボタン４ｄは、筐体１の下部に設けられた制御装置２００（図２参照）と電気的に接続されている。
【００１５】
また、操作パネル４の左側には、洗剤や柔軟剤などを投入する引き出し式のトレイ５が設けられ、操作パネル４の右側には、引き出し式の乾燥フィルタ６が設けられている。乾燥フィルタ６は、メッシュ式のフィルタを備えており、乾燥運転時に糸くずや埃などが除去されるようになっている。また、上面カバー１ｅには、水道栓と接続される給水ホース接続口７、風呂の残り湯を汲み上げるホースが接続される吸水ホース接続口８が設けられている。
【００１６】
図２に示すように、破線で示す回転ドラム（内槽）１０は、筐体１内に設けられ、回転可能に支持された円筒状の洗濯兼脱水槽として機能するようになっている。この回転ドラム１０は、前側（手前側）端面に衣類などを出し入れするための開口部１０ａを有するとともに、その周壁および底壁（奥側）に通水および通風のための多数の貫通孔（図示せず）を有している。開口部１０ａを形成する縁部には、回転ドラム１０と一体に高速回転時の振動を抑制する流体バランサ１０ｂが設けられている。また、回転ドラム１０の内周壁には、奥行き方向（軸方向）に延びるリフタ１０ｃが複数個設けられており、洗濯、乾燥時に回転ドラム１０が回転すると、衣類などがリフタ１０ｃと遠心力で周壁に沿って持ち上がり、重力で落下する動きを繰り返し、洗濯・乾燥を促進するようになっている。なお、回転ドラム１０の回転中心は、開口部１０ａ側が高くなるように傾斜している。
【００１７】
外槽２０は、回転ドラム１０を同軸上に内包するとともに前面が開口した円筒状に形成され、内部が洗濯室および乾燥室として機能するようになっている。外槽２０の前面の開口には、合成樹脂製の外槽カバー２０ａが設けられ、外槽２０内への貯水を可能としている。外槽カバー２０ａの前側（手前側）中央には、衣類などを出し入れするための開口部２０ｂが形成されている。この開口部２０ｂと前補強材に設けた開口部は、ゴム製のパッキンで接続されている。このパッキンは、外槽２０とドア２との水密性を維持する役割を果たしている。これにより、洗い、すすぎおよび脱水時の外槽２０外への水漏れの防止が図られている。外槽２０の底面には、排水口２０ｃが設けられ、排水ホース８が接続されている。
【００１８】
また、外槽２０の下部は、下側をベースＢに固定された複数の防振手段９（コイルばねとダンパで構成）で防振支持されている。また、外槽２０の上部は、上部補強部材に取り付けた補助ばね（図示せず）で支持されており、外槽２０の前後方向への倒れを防ぐように構成されている。
【００１９】
排水ホース８の先端部は、床面に設けられた排水孔に接続されている。また、排水ホース８の途中には、排水弁Ｖが設けられ、この排水弁Ｖを閉じて給水することで外槽２０内に水が溜められ、排水弁Ｖを開くことで外槽２０内の水が機外へ排出される。
【００２０】
モータ３０は、回転ドラム１０を回転駆動するものであり、外槽２０の背面中央に設けられている。なお、モータ３０の回転軸３１は、外槽２０を貫通し、回転ドラム１０の背面に設けられた金属製フランジ１０ｅと結合している。
【００２１】
また、洗濯乾燥機Ｓは、筐体１の内部に送風ダクト（送風路）４０を備えている。送風ダクト４０は、外槽２０の背面側を上下方向（鉛直方向）に延びる後ダクト４２と、外槽２０の上面側を後方から前方に延びる上ダクト４３とを有している。後ダクト４２の下部は、外槽２０の背面下部に設けられた出口２０ｄに柔軟構造のベローズ４１で略水平に接続されている。なお、後ダクト４２内には、水冷除湿機構（図示せず）が設けられている。
【００２２】
上ダクト４３の下流側には、送風手段としてのファン４６と加熱手段としてのヒータ４７とを備えた送風ファンユニット４５が設けられている。送風ファンユニット４５が作動すると、ファン４６による吸引力によって上ダクト４３から送風ファンユニット４５内に空気が取り込まれ、ヒータ４７を通過することにより、取り込まれた空気が加熱されて、送風ファンユニット４５の吐出口（図示せず）から排出される。また、空気が後ダクト４２を通過する際、図示しない水冷除湿機構によって冷却されて除湿が行われる。送風ファンユニット４５から排出された加熱空気は、温風ダクト３５、ベローズ３６、吹き出しノズル３７を介して回転ドラム１０内に供給されるようになっている。
【００２３】
図３に示すように、操作パネル４は、カバー部材５０、印字シート６０、発光装置８０（図５参照）などで構成されている。なお、本実施形態における操作パネル４の特徴部分は、液晶表示パネルを用いて文字や数字などを表示させるものではなく、ＬＥＤ（Light Emitting Diode：発光ダイオード）などの発光素子を用いて文字や数字などを発光させるものである。
【００２４】
カバー部材５０は、合成樹脂製の材料で略矩形状に形成され、筐体１の前面カバー１ｃ、上面カバー１ｅ、トレイ５、乾燥フィルタ６の各表面と面一になるように形成されている（図１参照）。また、カバー部材５０は、透明で矩形状の窓部５１を有し、この窓部５１を介して奥側に設けられた印字シート６０を視認できるようになっている。なお、操作パネル４の窓部５１を除く部分は、着色加工されて、裏側に位置する部材が見えないように構成されている。
【００２５】
操作パネル４の操作部４ａは、運転コースを洗濯する複数の操作ボタンＢ１〜Ｂ１１で構成され、右端に操作ボタンＢ１〜Ｂ３が上下方向に並んで配置され、下端に操作ボタンＢ４〜Ｂ１１が左右方向に並んで配置されている。
【００２６】
操作ボタンＢ１は、洗濯のみを行うコースを選択する洗濯コース設定ボタンである。操作ボタンＢ２は、洗濯から乾燥までを連続して行うコースを選択する洗濯乾燥コース設定ボタンである。操作ボタンＢ３は、乾燥のみを行うコースを選択する乾燥コース設定ボタンである。
【００２７】
操作ボタンＢ４は、運転を開始および一時停止するボタンである。操作ボタンＢ５は、予約運転を行うボタンである。操作ボタンＢ６は、風呂の残り湯をポンプで給水するボタンである。操作ボタンＢ７（選択手段）は、洗濯時の脱水回転速度を変更するボタンである。
【００２８】
なお、本実施形態における脱水回転速度は、例えば、洗濯コース設定時において最後に行われる脱水（最終脱水）時の回転速度を意味しており、最終脱水より前の中間脱水については、予め設定（固定）された脱水回転速度で脱水が行われるようになっている。
【００２９】
操作ボタンＢ８は、乾燥時間を変更するボタンである。操作ボタンＢ９は、脱水時間を変更するボタンである。操作ボタンＢ１０は、すすぎ回数を変更するボタンである。操作ボタンＢ１１は、洗い時間を変更するボタンである。
【００３０】
カバー部材５０には、操作ボタンＢ１〜Ｂ１１の操作面を構成する印字部ａ，ｂ，ｃ，ｄ，ｅ，ｆ，ｇ，ｈ，ｉ，ｊ，ｋと、後記する発光部群５２の表面を構成する光透過印字部５２ａ，５２ａ・・・が形成されている。カバー部材５０は、印字部ａ〜ｋおよび光透過印字部５２ａ，・・・が形成されたシートを、透明な樹脂で形成されたカバー部材５０の裏面から貼着することなどによって構成されている。
【００３１】
操作パネル４の表示部４ｂは、第１ＬＥＤ表示部６１、第２ＬＥＤ表示部６２、発光部群５２，６５，６６，６７，６８，６９，７０，７１，７２，７３により構成されている。なお、第２ＬＥＤ表示部６２は、第１ＬＥＤ表示部６１の左側に「１」のみを表示可能なものであり、第１ＬＥＤ表示部６１と合わせて４桁表示を可能としたものである。第１ＬＥＤ表示部６１および第２ＬＥＤ表示部６２の詳細な構成については後記する。
【００３２】
発光部群５２は、操作ボタンＢ１〜Ｂ３の左側に配置され、操作ボタンＢ１を操作したときに設定可能な項目（コース）、操作ボタンＢ２操作したときに設定可能な項目（コース）、操作ボタンＢ３を操作したときに設定可能な項目（コース）がまとめられて配置されている。例えば、操作ボタンＢ１によって洗濯コースを選択した場合には、設定可能な項目（標準→おいそぎ→念入り→手造り→柔らか→毛布→ドライ）の文字が順番に切り替わりながら発光するように構成されている。なお、「手造り」とは、洗い、すすぎ、脱水をユーザの好みの内容に設定できるモードである。
【００３３】
発光部群６５は、第１ＬＥＤ表示部６１の右側に配置され、脱水時の回転速度の単位である「回転／分」、予約時間の単位である「時間後」、投入する洗剤量である「杯」、残りの運転時間である「分」からなる文字部分がＬＥＤとの組み合わせで発光するように構成されている。
【００３４】
発光部群６６は、第２ＬＥＤ表示部６２の左側に配置され、第１ＬＥＤ表示部６１および第２ＬＥＤ表示部６２に表示された数字の内容を示す、「脱水」、「予約」、「洗剤」、「あと約」からなる文字部分がＬＥＤとの組み合わせで発光するように構成されている。
【００３５】
発光部群６７は、第１ＬＥＤ表示部６１の下側に配置され、操作ボタンＢ７を操作したときに切り替わるものであり、「しっかり」、「ふつう」、「弱め」からなる文字部分がＬＥＤとの組み合わせで発光するように構成されている。
【００３６】
発光部群６８は、操作ボタンＢ６を操作したときに切り替わるものであり、発光部群６７の右側に配置され、洗濯時に風呂の残り湯を使用する時期を示す「洗い」、「すすぎ１」、「すすぎ２」からなる文字部分がＬＥＤとの組み合わせで発光するように構成されている。
【００３７】
発光部群６９〜７２は、操作ボタンＢ８〜Ｂ１１を操作したときに切り替わるものであり、乾燥時間、脱水時間、すすぎ回数、洗い時間を表示する数字などからなる文字部分がＬＥＤとの組み合わせで発光するように構成されている。なお、発光部群６９〜７２は、例えば、それぞれ５段階で表示するようになっている。
【００３８】
発光部群７３は、洗剤の計量カップを模した形状であり、投入する洗剤量を４段階で表示するようになっている。
【００３９】
図４に示すように、第１ＬＥＤ表示部６１は、「０」から「９」までのアラビア数字（算用数字）を７セグメントで表示可能な３連の数字表示部６１ａ，６１ｂ，６１ｃと、記号表示部６１ｄ，６１ｅと、が一体化されて構成されている。
【００４０】
数字表示部６１ａ，６１ｂ，６１ｃは、図３において白抜きの８の数字で示すように、左右に並べられて３桁表示を可能としたものである。
【００４１】
記号表示部６１ｄは、左側の数字表示部６１ａと中央の数字表示部６１ｂとの間に設けられ、残りの運転時間（例えば、「２：３０」）を表示する際に点灯するコロン「：」の記号で構成されている。
【００４２】
記号表示部６１ｅは、中央の数字表示部６１ｂと右側の数字表示部６１ｃとの間に設けられ、洗剤量（例えば、１．２）を表示する際に点灯するピリオド（ドット）「．」の記号で構成されている。
【００４３】
図５の断面図に示すように、第２ＬＥＤ表示部６２は、印字シート６０、発光装置８０により構成されている。発光装置８０は、ＬＥＤ１０１ａ，１０１ｂ、回路基板１１０、ガイド板１２０により構成されている。印字シート６０は、ガイド板１２０と接着層を介してガイド板１２０の所定の位置に固定されるようになっている。なお、回路基板１１０、ガイド板１２０などの構成については後記する。
【００４４】
図６に示すように、印字シート６０は、合成樹脂製で光透過性を有するシート材に印刷処理を施して形成したものであり、第１ＬＥＤ表示部６１に対応する位置に無色透明な窓部６３を有している。窓部６３は、第１ＬＥＤ表示部６１（図４参照）の表面とほぼ同じ大きさとなるように形成されている。なお、印字シート６０の窓部６３は、第１ＬＥＤ表示部６１に表示された数字等を印字シート６０を介して視認することができるものであれば、無色透明に限定されるものではない。
【００４５】
また、印字シート６０は、第１ＬＥＤ表示部６１（図３参照）が組み込まれる窓部６３の左側縁部に、第２ＬＥＤ表示部６２の表面を構成する光透過印字部６２ａが形成されている。この光透過印字部６２ａは、窓部６３の左側縁部に形成された黒色の矩形状の光遮蔽部６４から、「１」に相当する数字を抜き取るようにして構成したものである。また、窓部６３の上側縁部、右側縁部および下側縁部にも、黒色に縁取られた光遮蔽部が形成されている。
【００４６】
なお、本実施形態での光透過印字部６２ａの「１」は、７セグメントの数字表示部６１ａ〜６１ｃで表示される「１」と同様な形状で表されるように、印字部６２ａ１，６２ａ２によって上下に分割して形成されている。また、光遮蔽部６４の左右方向の幅は、ひとつの数字表示部６１ａ（６１ｂ，６１ｃ）の幅よりも小さくなるように形成され、光透過印字部６２ａが窓部６３の左側縁部の近傍に位置するように構成されている。したがって、数字の「１」を非常に小さなスペースで形成することが可能になる。
【００４７】
また、印字シート６０には、発光部群６５（図３参照）の表面を構成する光透過印字部６５ａ，６５ｂが上下に並んで、光透過印字部６５ｃ，６５ｄが、その下に左右に並んで形成されている。また、印字シート６０は、発光部群６６（図３参照）の表面を構成する光透過印字部６６ａ，６６ｃ，６６ｄが上段、中段、下段となるように並んで、光透過印字部６６ｂ，６６ｃが中段において左右に並んで形成されている。また、印字シート６０は、発光部群６７（図３参照）の表面を構成する光透過印字部６７ａ，６７ｂ，６７ｃが上段、中段、下段に分かれて形成されている。また、印字シート６０には、発光部群６８〜７３（図３参照）の表面を構成する光透過印字部群６８ａ，６９ａ，７０ａ，７１ａ，７２ａ，７３ａが形成されている。
【００４８】
図７に示すように、印字シート６０の裏面には、窓部６３の縁部全周に沿って四角枠状に形成された黒色の縁取部６３ａと、数字の「１」の周囲を縁取るように形成された黒色の縁取部６３ｂ，６３ｂとが形成されている。なお、図７において窓部６３の周囲の光透過印字部６５ａ〜６５ｄ、６６ａ〜６６ｄを除く領域は、光を透過しない処理が施されている。
【００４９】
また、印字シート６０には、光透過印字部６５ａ〜６５ｄ，６６ａ〜６６ｄの裏面に光を拡散する拡散シート６５ｓ，６６ｓが貼着されている。これにより、光透過印字部６５ａ〜６５ｄ、６６ａ〜６６ｄを発光させたときに、光透過印字部６５ａ〜６５ｄ，６６ａ〜６６ｄの文字の一部のみが発光する状態（例えば、目玉状に発光すること）になるのを防止できる。なお、図示していないが、印字シート６０に形成された他の光透過印字部についても拡散シートが貼着されている。
【００５０】
図５に戻って、第２ＬＥＤ表示部６２を構成する発光装置８０は、光透過印字部６２ａの印字部６２ａ１（図６参照）に対応する位置にＬＥＤ１０１ａが配置され、また印字部６２ａ２（図６参照）に対応する位置にＬＥＤ１０１ｂが配置されている。ＬＥＤ１０１ａは、「１」の領域の上側に位置する印字部６２ａ１（図６参照）に対向して配置され、ＬＥＤ１０１ｂは、「１」の領域の下側に位置する印字部６２ａ２（図６参照）に対向して配置されている。なお、ＬＥＤ１０１ａ，１０１ｂは、印字部６２ａ１，６２ａ２の長手方向の中央部に位置している。
【００５１】
ＬＥＤ１０１ａ，１０１ｂは、回路基板１１０に実装され、回路基板１１０がガイド板１２０の背面（裏面）に取り付けられて構成されている。また、ＬＥＤ１０１ａ，１０１ｂは、いわゆる砲弾型の発光素子であり、例えばオレンジ色に発光するものである。
【００５２】
ガイド板１２０は、例えば、合成樹脂材料により全体が白色で成形され、貫通孔１２１と溝部１２２とが形成されている。
【００５３】
貫通孔１２１は、回路基板１１０から突出して配置されたＬＥＤ１０１ａ，１０１ｂが挿通される。溝部１２２は、基端（底部）が貫通孔１２１と連通し、先端が開放するように凹状に形成されている。また、貫通孔１２１に挿通されたＬＥＤ１０１ａ，１０１ｂは、その先端の樹脂製（エポキシ樹脂など）のレンズケースの先端部が溝部１２２内に突出するように配置され、貫通孔１２１から溝部１２２内に突出した位置において発光するようになっている。
【００５４】
溝部１２２は、底部側に表面側に向けて幅が拡大する傾斜面１２２ａと、表面側にガイド部材１２０の表面に垂直な垂直面１２２ｂとを有している。なお、傾斜面１２２ａが拡大する方向は、「１」の上下と一致する方向である。なお、溝部１２２は、図５において紙面に垂直な方向（左右方向）の両面１２２ｃ，１２２ｄ（図８参照）が、底部側から表面側にかけて平坦な面で形成されている。
【００５５】
図８に示すように、ガイド板１２０には、印字シート６０の光透過印字部６５ａ〜６５ｄ（図６参照）に対応（対向）する位置に、凹状の溝１２３ａ，１２３ｂ，１２３ｃ，１２３ｄが形成され、該溝１２３ａ〜１２３ｄの底側の中央にＬＥＤ１０２ａ，１０２ｂ，１０２ｃ，１０２ｄが配置されるように構成されている。
【００５６】
同様にして、ガイド板１２０には、光透過印字部６６ａ〜６６ｄ（図６参照）に対応（対向）する位置に、凹状の溝１２４ａ，１２４ｂ，１２４ｃ，１２４ｄが形成され、該溝１２４ａ〜１２４ｄの中央にＬＥＤ１０３ａ，１０３ｂ，１０３ｃ，１０３ｄが配置されるように構成されている。
【００５７】
また、同様にして、ガイド板１２０には、光透過印字部６７ａ〜６７ｃ（図６参照）に対応（対向）する位置にＬＥＤ１０４ａ〜１０４ｃが配置された溝が形成されている。すなわち、ひとつの言葉などに対して、ひとつのＬＥＤが配置されるようになっている。なお、発光部群５２，６８〜７２の各光透過印字部についても、それぞれの言葉や数字などに対応してＬＥＤが配置されている。
【００５８】
なお、ＬＥＤ１０２ａ〜１０２ｄ，１０３ａ〜１０３ｄ，１０４ａ〜１０４ｃの発光色については、前記したＬＥＤ１０１ａ，１０１ｂと同様に、オレンジ色で統一して構成されている。しかし、オレンジ色に限定されるものではなく、例えば、操作パネル４には図示省略しているが、警告を意味する表示部については、赤色に発光するＬＥＤとしてもよい。また、青色や緑色に発光するＬＥＤなどを組み合わせて操作パネル４の表示部４ｂを構成してもよい。
【００５９】
また、ガイド板１２０には、各印字部ａ〜ｋ（図３参照）に対応（対向）する位置に、該印字部ａ〜ｋの押圧操作を検知する検出部Ｓ１〜Ｓ１１が設けられている。検出部Ｓ１〜Ｓ１１は、印字部ａ〜ｋのドーム状の表面が押圧されることで、図示円形（楕円形、矩形）の部分が紙面垂直方向に押し込まれて、ガイド板１２０の裏側に設けられたタクトスイッチがＯＮするようになっている。
【００６０】
なお、制御装置２００は、ＣＰＵ（Central Processing Unit）、ＲＯＭ（Read Only Memory）、ＲＡＭ（Random Access Memory）などで構成され、回路基板１１０と電気的に接続されており、操作部４ａの各操作ボタンＢ１〜Ｂ１１の押圧操作が検出部Ｓ１〜Ｓ１１によって検出されることで、それに応じて表示部４ｂの第１ＬＥＤ表示部６１、第２ＬＥＤ表示部６２、発光部群６５，６６，６７などの表示（発光状態）が変化するように制御している。
【００６１】
次に、本実施形態の洗濯乾燥機Ｓの動作について説明する。なお、本実施形態では、洗濯コースが選択された場合の脱水時（最終脱水時）に第２ＬＥＤ表示部６２が発光するようになっている。以下では、主に洗濯コース洗濯時の動作について説明する。
【００６２】
電源入ボタン４ｃ（図１参照）をユーザが操作すると、制御装置２００によって、操作パネル４には初期設定コースとして洗濯乾燥コース（標準）が設定された状態が表示される。例えば、洗濯乾燥コースが設定されている状態において、操作ボタンＢ３（図３参照）が操作されると、乾燥コースが選択され、発光部群５２の乾燥コースに対応した項目（光透過印字部５２ａ）のいずれかが発光し、操作ボタンＢ３の操作に応じて項目が順次切り替わるようになっている。
【００６３】
一方、制御装置２００は、洗濯乾燥コースの状態において、操作ボタンＢ１の操作が検知されると、発光部群５２の洗濯コースに対応した項目（光透過印字部５２ａ）のいずれかが発光し、操作ボタンＢ１の操作に応じて項目が順次切り替わるように制御する。この洗濯コースが設定された状態において、操作ボタンＢ７を操作すると、制御装置２００は、ＬＥＤ１０４ｂ（図８参照）を発光させることで、光透過印字部６７ｂ（「ふつう」）を点灯させる。このとき、制御装置２００は、例えば、第１ＬＥＤ表示部６１の数字表示部６１ａが「９」となるように、数字表示部６１ｂが「５」となるように、数字表示部６１ｃが「０」となるようにそれぞれ点灯させる。また、制御装置２００は、ＬＥＤ１０３ａ，１０２ａを発光させて、発光部群６６の光透過印字部６６ａ（「脱水」）と発光部群６５の光透過印字部６５ａ（「回転／分」）とを点灯させる。これにより、図９（ｂ）に示すように、第２ＬＥＤ表示部６２は点灯せず、第１ＬＥＤ表示部６１に脱水時の回転速度（脱水回転速度）が「脱水９５０回転／分」が表示される。なお、操作ボタンＢ７を操作しない場合には、予め決められた脱水回転速度（例えば、９５０回転／分）で脱水（最終脱水）が行われる。
【００６４】
また、制御装置２００は、さらに操作ボタンＢ７の操作を検知すると、光透過印字部６７ｂ（「ふつう」）を消灯させると同時に、ＬＥＤ１０４ａを発光させて、光透過印字部６７ａ（「しっかり」）を点灯させる。このとき、制御装置２００は、第１ＬＥＤ表示部６１の数字表示部６１ａが「２」、数字表示部６１ｂが「０」、数字表示部６１ｃが「０」となるようにそれぞれ点灯させる。また、制御装置２００は、第２ＬＥＤ表示部６２のＬＥＤ１０１ａ，１０１ｂを発光させて、印字部６２ａ１，６２ａ２を点灯させ、「１」を表示する。これにより、図９（ａ）に示すように、第１ＬＥＤ表示部６１と第２ＬＥＤ表示部６２によって「脱水１２００回転／分」（「しっかり」）のように４桁表示される。
【００６５】
また、制御装置２００は、さらに操作ボタンＢ７の操作を検知すると、光透過印字部６２ａ（６２ａ１，６２ａ２），６７ａ（「１」，「しっかり」）を消灯させると同時に、ＬＥＤ１０４ｃを発光させて、光透過印字部６７ｃ（「弱め」）を点灯させる。このとき、制御装置２００は、数字表示部６１ａが「７」、数字表示部６１ｂが「０」、数字表示部６１ｃが「０」となるようにそれぞれ点灯させる。これにより、図９（ｃ）に示すように、第２ＬＥＤ表示部６２は点灯せず、第１ＬＥＤ表示部６１に脱水回転速度が「脱水７００回転／分」（「弱め」）が表示される。
【００６６】
このように、操作ボタンＢ７を操作して、脱水回転速度を「１２００回転／分」に変更することにより、洗濯物の含水率を、脱水回転速度が「９５０回転／分」の場合と比べて低減できる。よって、含水率が低減することにより、洗濯物の干し時間を短縮することが可能になり、洗濯物を部屋干した際に有効であり、アイロン掛けおよび／または乾燥することによって、衣類を早くに着用することが可能になる。
【００６７】
また、操作ボタンＢ７を操作して、脱水回転速度を「７００回転／分」に変更することにより、脱水率を、脱水回転速度が「９５０回転／分」の場合と比べて低減できるので、洗濯物に生じる脱水ジワを低減することができる。したがって、Ｙシャツなどのアイロン掛けを軽減することが可能になる。また、消費電力量についても「ふつう」の設定より低減することが可能になる。
【００６８】
なお、前記した、「ふつう」、「しっかり」、「弱め」の各設定における脱水回転速度は一例であり、適宜変更することができる。例えば、「ふつう」における脱水回転速度について１０００回転／分を超える設定としてもよく、「しっかり」における脱水回転速度を１２００回転／分よりも高く設定してもよい。
【００６９】
そして、制御装置２００は、「しっかり」が設定された後、操作ボタンＢ４の操作を検知すると、光透過印字部６５ａ，６６ａ（「回転／分」、「脱水」）を消灯させ、ＬＥＤ１０３ｂ，１０２ｃを発光させて、光透過印字部６６ｂ（「洗剤」）と光透過印字部６５ｃ（「杯」）を点灯させる。また、制御装置２００は、投入された洗濯物の重さ等に応じた洗剤量（「洗剤０．８杯」、「洗剤１．０杯」、「洗剤１．２杯」など）を第１ＬＥＤ表示部６１の数字表示部６１ｂ，６１ｃおよび記号表示部６１ｅを介して表示させる。
【００７０】
そして、制御装置２００は、洗剤量が所定時間表示されたことを図示しないタイマによって検知すると、光透過印字部６５ｃ，６６ｂ（「杯」、「洗剤」）を消灯させ、ＬＥＤ１０３ｄ，１０２ｄを発光させて、光透過印字部６６ｄ（「あと約」）と光透過印字部６５ｄ（「分」）を点灯させる。例えば、制御装置２００は、数字表示部６１ａが「２」、数字表示部６１ｂが「４」、数字表示部６１ｃが「０」および記号表示部６１ｄをそれぞれ点灯させて、洗濯開始から洗濯終了までの時間が２時間４０分（２：４０）であることを表示する。そして、図示しないタイマによって所定時間が経過すると、洗濯乾燥機Ｓへの注水が自動的に開始され、洗濯が開始される。
【００７１】
なお、洗濯開始後、最終脱水工程時において、脱水回転速度が７００、９５０、１２００回転／分にそれぞれ到達した段階で、「脱水７００回転／分」、「脱水９５０回転／分」、「脱水１２００回転／分」のように残時間表示と脱水回転速度とを交互に切り換えて表示してもよい。または、脱水時には残時間表示のみを表示するようにしてもよい。
【００７２】
以上説明したように、本実施形態の洗濯乾燥機Ｓによれば、「０」から「９」までの１０個の数字を７セグメントで（数字３桁）表示する第１ＬＥＤ表示部６１と、第１ＬＥＤ表示部６１の左側に「１」のみの数字を表示可能な第２ＬＥＤ表示部６２と、を備えたので、新たに７セグメントの表示部を追加して桁表示を１桁増やす必要がなくなり、簡単かつ安価な構成で桁を増やすことが可能になる。
【００７３】
ちなみに、第２ＬＥＤ表示部６２として７セグメントの表示器を搭載すると、第１ＬＥＤ表示部６１の数字表示部６１ａと発光部群６６との間に、黒色で塗りつぶされた領域が大きく形成されてしまい、無駄な領域が形成され、またユーザに対して高級感に欠ける感じを与えることになる。しかし、本実施形態によれば、第２ＬＥＤ表示部６２として、印字シート６０、ＬＥＤ１０１ａ，１０１ｂおよび溝部１２２で「１」のみを表示する構成とすることで、黒色で塗りつぶされた領域が大きく形成されるのを防止することができ、ユーザに対して高級感に欠ける感じを抱かせることもない。
【００７４】
また、本実施形態では、操作パネル４において、「１」を使用しない（４桁表示しない）別機種に搭載したとしても、光透過印字部６２ａの部分を塗りつぶして全体が黒く塗りつぶされた状態とすることで、別機種に対応することが可能になり、別機種との操作パネル４の共通化を向上することが可能になる。つまり、第２ＬＥＤ表示部６２に７セグメントの表示器を使用した場合、４桁表示を使用しない機種に適用しようとすると、印字シート６０の窓部６３の形状を変更しなければならず、異なる形状の印字シートを用意しなければならなくなり、同じ印字シート６０を使用できる本実施形態と比べてコスト高となる。
【００７５】
ところで、家庭における洗濯事情では、生活環境の変化や季節的な要因によって洗濯物を部屋で干すいわゆる部屋干しを行うことが増えている。洗濯物を部屋干しする場合、なるべく早くに乾くことが好ましく、これまでの脱水時の回転ドラムの回転速度では十分ではない場合があり、洗濯乾燥機Ｓの多機能化によって、脱水回転速度をさらに高い回転速度で駆動する必要がある。また、脱水回転速度の設定は、数値的に表示する方がユーザにとって視覚的に認識し易いと考えられる。
【００７６】
そこで、本実施形態では、第１ＬＥＤ表示部６１および第２ＬＥＤ表示部６２に回転ドラム１０の脱水回転速度が表示されるようにすることで、ユーザが操作ボタンＢ７を操作して脱水（最終脱水）時の回転速度を設定した際、脱水回転速度をユーザに対して容易に認識させることが可能になる。特に、「しっかり」が設定された場合には、脱水回転速度として「脱水９５０回転／分」の３桁表示よりも高い「脱水１２００回転／分」の４桁表示として１桁増やして表示することで、脱水回転速度が高くなったことをユーザに対して容易に認識させることができる。
【００７７】
また、本実施形態によれば、操作パネル４に脱水回転速度を選択する操作ボタンＢ７（選択手段）を備えて、脱水回転速度が変化するように構成、例えば「１２００回転／分」に設定することで、洗濯物の含水率を低減でき、洗濯物を部屋干しする際に部屋干し時間を短縮することができ、また部屋干し後にアイロン掛けにより洗濯物を早くに使用（着用）することが可能になる。また、「弱め」に設定することで、洗濯物の脱水率を低めて、Ｙシャツなどシワになりやすい衣類において脱水ジワが生じるのを低減できる。その結果、アイロン掛けする際の労力を軽減でき、しかも消費電力量を低減できる。
【００７８】
また、本実施形態によれば、操作ボタンＢ７（選択手段）による選択操作に応じて、予め定められた所定の脱水回転速度を第１ＬＥＤ表示部６１および前記第２ＬＥＤ表示部６２に表示することにより、設定された脱水回転速度を容易に確認することができる。
【００７９】
また、本実施形態によれば、洗濯のみを行う洗濯コースと、洗濯から乾燥まで連続して行う洗濯乾燥コースとを有するものにおいて、洗濯のみを行う洗濯コースと、操作パネル４（操作ボタンＢ１）の操作によって、洗濯コースが設定された場合、脱水回転速度を変更可能にすることで、４桁表示としたときに、千の位の数字を「１」に限定できるので、印字シート６０の光遮蔽部６４に形成する構成を最も簡略化することができ、しかも光遮蔽部６４の左右の幅を狭く形成できるので、設置スペースを最小にできる。さらに、発光させるＬＥＤ１０１ａ，１０１ｂを最少の２個で済ますことができるので、コスト的にも安価である。
【００８０】
また、本実施形態によれば、第２ＬＥＤ表示部６２が、数字の「１」が印刷された印字シート６０と、ＬＥＤ１０１ａ，１０１ｂとを備えて、印字シート６０の裏面側にＬＥＤ１０１ａ，１０１ｂからの光を拡散させる溝部１２２を設けたことにより、数字の「１」を均等に光らせることが可能になる。
【００８１】
また、本実施形態によれば、第２ＬＥＤ表示部が、光透過印字部６２ａによって数字の「１」が印刷された印字シート６０とＬＥＤ１０１ａ，１０１ｂとを有し、印字シート６０の裏面側にＬＥＤ１０１ａ，１０１ｂからの光を拡散させる溝部１２２を設けたので、ＬＥＤ１０１ａ，１０１ｂで発光した光を、光透過印字部６２ａ（印字部６２ａ１，６２ａ２）の全体に照射することが可能になる。
【００８２】
なお、前記した実施形態では、第２ＬＥＤ表示部６２に表示する数字の「１」を洗濯コース設定時の脱水回転速度の際に使用したが、これに限定されるものではなく、１２時間の時計表示（例えば、「１０：４５」）であってもよい。
【００８３】
なお、前記した実施形態では、ドラム式の洗濯乾燥機Ｓを例に挙げて説明したが、縦型の洗濯乾燥機の操作パネルに適用してもよい。また、本発明は洗濯物を乾燥する乾燥手段（送風ファンユニット４５、水冷除湿機構）を備えたものに限定されるものではなく、洗濯物を収容する内槽と、この内槽を内置する外槽と、内槽を回転駆動するモータと、外槽を支持する筐体とを有し、筐体に運転コースを選択する操作パネルを備え、前記操作パネルに、「０」から「９」までの１０個の数字を７セグメントで表示する第１ＬＥＤ表示部６１と、第１ＬＥＤ表示部６１の左側に「１」のみの数字を表示可能な第２ＬＥＤ表示部６２と、を備えた洗濯機に適用してもよい。
【符号の説明】
【００８４】
１      筐体
４      操作パネル
４ａ    操作部
４ｂ    表示部
５      カバー部材
１０    回転ドラム（内槽）
２０    外槽
３０    モータ
５３ｄ  印字部
６０    印字シート
６１    第１ＬＥＤ表示部
６１ａ，６１ｂ，６１ｃ  数字表示部
６１ｄ，６１ｅ  記号表示部
６２    第２ＬＥＤ表示部
６２ａ  光透過印字部
６２ａ１，６２ａ２  印字部
６３    窓部
６４    光遮蔽部
６５，６６，６７  発光部群
６５ａ〜６５ｄ，６６ａ〜６６ｄ，６７ａ〜６７ｃ  光透過印字部
１０１ａ，１０１ｂ  ＬＥＤ
１２２  溝部
Ｓ      洗濯乾燥機
【図１】
2012061149.tif 000003
【図２】
2012061149.tif 000004
【図３】
2012061149.tif 000005
【図４】
2012061149.tif 000006
【図５】
2012061149.tif 000007
【図６】
2012061149.tif 000008
【図７】
2012061149.tif 000009
【図８】
2012061149.tif 000010
【図９】
2012061149.tif 000011